(57)【要約】【課題】障害検出分析システムに送られる前に異なるレートでサンプリングされた多重信号から得られる情報を保持するシステム及び方法を提供する。【解決手段】システムの状態を監視する方法が提供される。本方法には、第１のサンプリングレートでサンプリングされた第１のサンプリング点を有する第１のサンプリング信号を受け取ることと、第２のサンプリングレートでサンプリングされた第２のサンプリング点を有する第２のサンプリング信号を受け取ることと、が含まれる。第１及び第２のサンプリング信号は両方とも、同じ検知プロセスにおいて次元に対して検知することから生じる。【選択図】図７
2020095725.tif 000002
【特許請求の範囲】
【請求項１】
システムの状態を監視する方法であって、
次元に対してシステムのコンポーネントを検知するプロセスから生じた第１の複数のサンプリング点を有する第１のサンプリング信号を受け取ることであって、前記第１のサンプリング信号は第１のサンプリングレートでサンプリングされ、第１のサンプリング点はそれぞれ、付随する測定値及び次元値を有する、前記受け取ることと、
前記検知プロセスから生じ、第２のサンプリングレートでサンプリングされた第２の複数のサンプリング点を有する第２のサンプリング信号を受け取ることであって、前記第２のサンプリング点はそれぞれ、付随する測定値及び次元値を有する、前記受け取ることと、
前記第１のサンプリング信号の第１のサンプリング点における、前記第１のサンプリング信号と前記第２のサンプリング信号との間の次元に対する第１のシフトを決定することと、
前記第１のサンプリング信号の第２のサンプリング点における、前記第１のサンプリング信号と前記第２のサンプリング信号との間の次元に対する第２のシフトを決定することであって、前記第２のサンプリング点は前記第１のサンプリング点とは異なる、前記決定することと、
前記第１のシフト及び前記第２のシフトの関数である計算されたシフトを決定することと、
前記計算されたシフトに基づいてシフトされた前記第１の複数の各サンプリング点及び前記第２の複数の各サンプリング点を含む併合信号を生成することと、
前記併合信号の分析に基づいて少なくとも障害の閾値表示があるか否かを判定することと、
少なくとも障害の閾値表示があるという判定に応じて、前記コンポーネントを無効にするかまたは取り外すことを勧めることと、を含む、システムの状態を監視する方法。
【請求項２】
前記第１のサンプリング点は対応する測定値ＭＶ１を有し、前記第１のシフトを決定することは、
前記第２の複数のサンプリング点の第３及び第４の連続するサンプリング点を選択することであって、前記第３及び第４のサンプリング点は別個の対応する測定値ＭＶ３及びＭＶ４を有し、ＭＶ３≦ＭＶ１＜ＭＶ４である、前記選択することと、
第１の勾配と前記第３及び第４のサンプリング点を通る第１の切片とを有する第１のラインを決定することと、
測定値ＭＶ１を有する前記第１のライン上の第１の点を決定することと、
前記第１のシフトは、前記第１のサンプリング点に対応する第１の次元値ＤＶ１と前記第１の点に対応する第２の次元値ＤＶ２との間の第１の距離であると決定することと、を含む請求項１に記載の方法。
【請求項３】
前記第２のサンプリング点は対応する測定値ＭＶ２と次元ＤＶ３とを有し、前記第２のシフトを決定することは、
前記第２の複数のサンプリング点の第３及び第４の連続するサンプリング点を選択することであって、前記第３及び第４のサンプリング点は別個の対応する測定値ＭＶ４及びＭＶ５を有し、ＭＶ４≦ＭＶ２＜ＭＶ５である、前記選択することと、
第２の勾配と前記第３及び第４のサンプリング点を通る第２の切片とを有する第２のラインを決定することと、
測定値ＭＶ２を有する前記第２のライン上の第２の点を決定することと、
前記第２のシフトは、前記第２のサンプリング点に対応する第２の次元値ＤＶ３と前記第２の点に対応する第２の次元値ＤＶ５との間の第２の距離であると決定することと、を含む請求項１に記載の方法。
【請求項４】
前記第１のサンプリング信号の傾斜部分に沿って前記第１及び第２のサンプリング点を選択することをさらに含む請求項１に記載の方法。
【請求項５】
前記第１及び第２のサンプリング点は連続するサンプリング点ではない請求項１に記載の方法。
【請求項６】
前記第１及び第２のサンプリング点は連続するサンプリング点である請求項１に記載の方法。
【請求項７】
前記併合信号をサンプリングして第３の複数のサンプリング点を生成することをさらに含み、少なくとも前記障害の閾値表示があるか否かを判定することは、前記第３の複数のサンプリング点を分析することによって行う請求項１に記載の方法。
【請求項８】
状態監視システムであって、
命令を記憶するように構成されたメモリと、
前記メモリと通信するように配置されたプロセッサとを含み、
前記プロセッサは、前記命令が実行されると、
次元に対してシステムのコンポーネントを検知するプロセスから生じた第１の複数のサンプリング点を有する第１のサンプリング信号を受け取ることであって、前記第１のサンプリング信号は第１のサンプリングレートでサンプリングされ、第１のサンプリング点はそれぞれ付随する測定値及び次元値を有する、前記受け取ることと、
前記検知プロセスから生じ、第２のサンプリングレートでサンプリングされた第２の複数のサンプリング点を有する第２のサンプリング信号を受け取ることであって、前記第２のサンプリング点はそれぞれ、付随する測定値及び次元値を有する、前記受け取ることと、
前記第１のサンプリング信号の第１のサンプリング点における、前記第１のサンプリング信号と前記第２のサンプリング信号との間の次元に対する第１のシフトを決定することと、
前記第１のサンプリング信号の第２のサンプリング点における、前記第１のサンプリング信号と前記第２のサンプリング信号との間の次元に対する第２のシフトを決定することであって、前記第２のサンプリング点は前記第１のサンプリング点とは異なる、前記決定することと、
前記第１のシフト及び前記第２のシフトの関数である計算されたシフトを決定することと、
前記計算されたシフトに基づいてシフトされた前記第１の複数の各サンプリング点及び前記第２の複数の各サンプリング点を含む併合信号を生成することと、
前記併合信号の分析に基づいて少なくとも障害の閾値表示があるか否かを判定することと、
少なくとも障害の閾値表示があるという判定に応じて前記コンポーネントを無効にするかまたは取り外す行為を実行することと、を行うように構成されている、状態監視システム。
【請求項９】
前記第１のサンプリング点は対応する測定値ＭＶ１を有し、前記第１のシフトを決定することは、
前記第２の複数のサンプリング点の第３及び第４の連続するサンプリング点を選択することであって、前記第３及び第４のサンプリング点は別個の対応する測定値ＭＶ３及びＭＶ４を有し、ＭＶ３≦ＭＶ１＜ＭＶ４である、前記選択することと、
第１の勾配と前記第３及び第４のサンプリング点を通る第１の切片とを有する第１のラインを決定することと、
測定値ＭＶ１を有する前記第１のライン上の第１の点を決定することと、
前記第１のシフトは、前記第１のサンプリング点に対応する第１の次元値ＤＶ１と前記第１の点に対応する第２の次元値ＤＶ２との間の第１の距離であると決定することと、を含む請求項８に記載の状態監視（ＣＭ）システム。
【請求項１０】
前記第２のサンプリング点は対応する測定値ＭＶ１を有し、前記第２のシフトを決定することは、
前記第２の複数のサンプリング点の第３及び第４の連続するサンプリング点を選択することであって、前記第３及び第４のサンプリング点は別個の対応する測定値ＭＶ３及びＭＶ４を有し、ＭＶ３≦ＭＶ１＜ＭＶ４である、前記選択することと、
第１の勾配と前記第３及び第４のサンプリング点を通る第１の切片とを有する第１のラインを決定することと、
測定値ＭＶ１を有する前記第１のライン上の第１の点を決定することと、
前記第２のシフトは、前記第１のサンプリング点に対応する第１の次元値ＤＶ１と前記第１の点に対応する第２の次元値ＤＶ２との間の第１の距離であると決定することと、を含む請求項８に記載の状態監視（ＣＭ）システム。
【請求項１１】
前記プロセッサは、前記命令が実行されると、前記第１のサンプリング信号の傾斜部分に沿って前記第１及び第２のサンプリング点を選択するように構成されている請求項８に記載の状態監視（ＣＭ）システム。
【請求項１２】
前記第１及び第２のサンプリング点は連続していない請求項８に記載の状態監視（ＣＭ）システム。
【請求項１３】
前記第１及び第２のサンプリング点は連続している請求項８に記載の状態監視（ＣＭ）システム。
【請求項１４】
前記プロセッサは、前記命令が実行されると、さらに、前記併合信号をサンプリングして第３の複数のサンプリング点を生成するように構成され、少なくとも前記障害の閾値表示があるか否かを判定することは、前記第３の複数のサンプリング点を分析することによって行われる請求項８に記載の状態監視（ＣＭ）システム。
【請求項１５】
１つまたは複数のコンピュータプログラムが記憶された非一時的なコンピュータ可読記憶媒体であって、前記コンピュータプログラムは命令を含み、前記命令はコンピュータシステムのプロセッサによって実行されると、前記プロセッサに、
次元に対してシステムのコンポーネントを検知するプロセスから生じた第１の複数のサンプリング点を有する第１のサンプリング信号を受け取ることであって、前記第１のサンプリング信号は第１のサンプリングレートでサンプリングされ、第１のサンプリング点はそれぞれ、付随する測定値及び次元値を有する、前記受け取ることと、
前記検知プロセスから生じ、第２のサンプリングレートでサンプリングされた第２の複数のサンプリング点を有する第２のサンプリング信号を受け取ることであって、前記第２のサンプリング点はそれぞれ、付随する測定値及び次元値を有する、前記受け取ることと、
前記第１のサンプリング信号の第１のサンプリング点における、前記第１のサンプリング信号と前記第２のサンプリング信号との間の次元に対する第１のシフトを決定することと、
前記第１のサンプリング信号の第２のサンプリング点における、前記第１のサンプリング信号と前記第２のサンプリング信号との間の次元に対する第２のシフトを決定することであって、前記第２のサンプリング点は前記第１のサンプリング点とは異なる、前記決定することと、
前記第１のシフト及び前記第２のシフトの関数である計算されたシフトを決定することと、
前記計算されたシフトに基づいてシフトされた前記第１の複数の各サンプリング点及び前記第２の複数の各サンプリング点を含む併合信号を生成することと、
前記併合信号の分析に基づいて少なくとも障害の閾値表示があるか否かを判定することと、
少なくとも障害の閾値表示があるという判定に応じて、前記コンポーネントを無効にするかまたは取り外す行為を実行することと、を行わせる、１つまたは複数のコンピュータプログラムが記憶された非一時的なコンピュータ可読記憶媒体。
【請求項１６】
前記第１のサンプリング点は対応する測定値ＭＶ１を有し、前記第１のシフトを決定することは、
前記第２の複数のサンプリング点の第３及び第４の連続するサンプリング点を選択することであって、前記第３及び第４のサンプリング点は別個の対応する測定値ＭＶ３及びＭＶ４を有し、ＭＶ３≦ＭＶ１＜ＭＶ４である、前記選択することと、
第１の勾配と前記第３及び第４のサンプリング点を通る第１の切片とを有する第１のラインを決定することと、
測定値ＭＶ１を有する前記第１のライン上の第１の点を決定することと、
前記第１のシフトは、前記第１のサンプリング点に対応する第１の次元値ＤＶ１と前記第１の点に対応する第２の次元値ＤＶ２との間の第１の距離であると決定することと、を含む請求項１５に記載の非一時的なコンピュータ可読記憶媒体。
【請求項１７】
前記第２のサンプリング点は対応する測定値ＭＶ１を有し、前記第２のシフトを決定することは、
前記第２の複数のサンプリング点の第３及び第４の連続するサンプリング点を選択することであって、前記第３及び第４のサンプリング点は別個の対応する測定値ＭＶ３及びＭＶ４を有し、ＭＶ３≦ＭＶ１＜ＭＶ４である、前記選択することと、
第１の勾配と前記第３及び第４のサンプリング点を通る第１の切片とを有する第１のラインを決定することと、
測定値ＭＶ１を有する前記第１のライン上の第１の点を決定することと、
前記第２のシフトは、前記第１のサンプリング点に対応する第１の次元値ＤＶ１と前記第１の点に対応する第２の次元値ＤＶ２との間の第１の距離であると決定することと、を含む請求項１５に記載の非一時的なコンピュータ可読記憶媒体。
【請求項１８】
前記命令は、実行されると、さらに前記プロセッサに、前記第１のサンプリング信号の傾斜部分に沿って前記第１及び第２のサンプリング点を選択させる請求項１５に記載の非一時的なコンピュータ可読記憶媒体。
【請求項１９】
前記第１及び第２のサンプリング点は連続している請求項１５に記載の非一時的なコンピュータ可読記憶媒体。
【請求項２０】
前記命令は、実行されると、さらに前記プロセッサに、前記併合信号をサンプリングして第３の複数のサンプリング点を生成させ、少なくとも前記障害の閾値表示があるか否かを判定することは、前記第３の複数のサンプリング点を分析することによって行われる請求項１５に記載の非一時的なコンピュータ可読記憶媒体。
【発明の詳細な説明】
【技術分野】
【０００１】
本開示は信号処理に関し、より詳細には、異なる品質の信号の時間的に動的な融合に関する。
【背景技術】
【０００２】
状態監視システムは、障害の進行を検出するために機械におけるパラメータを監視する。機械のコンポーネントシステムに付随する動的パラメータのセンサ測定値を集めるために、データ収集システムが用いられる。このようなパラメータとしては、たとえば温度、圧力、振動、及び他の多くのタイプのセンサを挙げることができる。データ収集システムには、状態監視システムが必要とするサンプリング、伝達、及び／または記憶容量がない場合がある。データ収集システムの出力を共通の行き先に出力して、さらなる障害検出分析を行なうことができる。共通の行き先としては、障害検出分析システムに出力を送る記録システムを挙げることができる。
【０００３】
２つ以上のデータ収集システムが単一の信号を処理することができる。２つ以上のデータ収集システムの出力を異なるレートでサンプリングすることができ、及び／または互いに対して時間的にシフトさせることができる（それでも、それぞれ他方を補完し得る貴重な情報を有する）。障害検出分析が、同じ信号を処理した複数のデータ収集システムから出力された情報を利用するのは、出力が異なるレートでサンプリングされた場合（また時間的にシフトし得る）、難しい可能性がある。
【０００４】
従来の方法及びシステムは一般的に、その使用目的に対して満足のいくものであると考えられているが、当該技術分野では依然として、同じ供給源から生じているが障害検出分析システムに送られる前に異なるレートでサンプリングされた多重信号から得られる情報を保持するシステム及び方法が求められている。
【発明の概要】
【課題を解決するための手段】
【０００５】
後述する例示した実施形態の目的及び利点について以下の説明で述べ、この説明から明らかとなる。例示した実施形態のさらなる利点は、特に書面の説明及びその請求項で指摘され、ならびに添付の図面から分かるデバイス、システム、及び方法によって実現及び達成された。これら及び他の利点を実現するために、また例示した実施形態の目的により、一態様では、システムの状態を監視する方法について開示している。本方法には、第１のサンプリングレートでサンプリングされた第１のサンプリング点を有する第１のサンプリング信号を受け取ることと、第２のサンプリングレートでサンプリングされた第２のサンプリング点を有する第２のサンプリング信号を受け取ることと、が含まれる。第１及び第２のサンプリング信号は両方とも、同じ検知プロセスにおいて次元に対して検知することから生じる。本方法にはさらに、第１のサンプリング信号の第１のサンプリング点における、第１のサンプリング信号と第２のサンプリング信号との間の次元に対する第１のシフトを決定することと、第１のサンプリング信号の第２のサンプリング点における、第１のサンプリング信号と第２のサンプリング信号との間の次元に対する第２のシフトを決定することであって、第２のサンプリング点は第１のサンプリング点とは異なる、決定することと、第１のシフト及び第２のシフトの関数である計算されたシフトを決定することと、計算されたシフトに基づいてシフトされた第１の各サンプリング点及び第２の各サンプリング点を含む併合信号を生成することと、併合信号の分析に基づいて少なくとも障害の閾値表示があるか否かを判定することと、少なくとも障害の閾値表示があるという判定に応じて、コンポーネントを無効にするかまたは取り外すことを勧めることと、が含まれる。
【０００６】
実施形態では、第１のサンプリング点は対応する測定値ＭＶ１を有することができる。第１のシフトを決定することには、第２の複数のサンプリング点の第３及び第４の連続するサンプリング点を選択することを含めることができ、第３及び第４のサンプリング点は別個の対応する測定値ＭＶ３及びＭＶ４を有し、状態ＭＶ３≦ＭＶ１＜ＭＶ４を満たすことができる。本方法にはさらに、第１の勾配と第３及び第４のサンプリング点を通る第１の切片とを有する第１のラインを決定することと、測定値ＭＶ１を有する第１のライン上の第１の点を決定することと、第１のシフトは、第１のサンプリング点に対応する第１の次元値ＤＶ１と第１の点に対応する第２の次元値ＤＶ２との間の第１の距離であると決定することとを含めることができる。
【０００７】
実施形態では、第２のサンプリング点は対応する測定値ＭＶ１を有することができ、第２のシフトを決定することには、第２の複数のサンプリング点の第３及び第４の連続するサンプリング点を選択することを含めることができる。第３及び第４のサンプリング点は別個の対応する測定値ＭＶ３及びＭＶ４を有することができ、状態ＭＶ３≦ＭＶ１＜ＭＶ４を満たすことができる。本方法にはさらに、第１の勾配と第３及び第４のサンプリング点を通る第１の切片とを有する第１のラインを決定することと、測定値ＭＶ１を有する第１のライン上の第１の点を決定することと、第２のシフトは、第１のサンプリング点に対応する第１の次元値ＤＶ１と第１の点に対応する第２の次元値ＤＶ２との間の第１の距離であると決定することとを含めることができる。
【０００８】
実施形態では、本方法にはさらに、第１のサンプリング信号の傾斜部分に沿って第１及び第２のサンプリング点を選択することを含めることができる。
【０００９】
実施形態では、第１及び第２のサンプリング点は連続するサンプリング点でなくてもよい。
【００１０】
実施形態では、第１及び第２のサンプリング点は連続するサンプリング点とすることができる。
【００１１】
実施形態では、本方法にはさらに、併合信号をサンプリングして第３の複数のサンプリング点を生成することを含むことができ、少なくとも障害の閾値表示があるか否かを判定することは、第３の複数のサンプリング点を分析することによって行う。
【００１２】
本開示のさらに別の態様によれば、命令を記憶するように構成されたメモリと、メモリと通信するように配置されたプロセッサと、を含む状態監視システムが提供される。プロセッサは、命令が実行されると、本方法の動作を実行するように構成されている。
【００１３】
本開示のさらに別の態様によれば、１つ以上のコンピュータプログラムが記憶された非一時的なコンピュータ可読記憶媒体が提供される。各層に対応付けられるコンピュータプログラムには命令が含まれ、命令は、コンピュータシステムのプロセッサによって実行されると、プロセッサに本方法の動作を実行させる。
【００１４】
主題の開示のシステム及び方法のこれら及び他の特徴は、好ましい実施形態の以下の詳細な説明とともに図面から、当業者により容易に明らかになる。
【００１５】
主題の開示が属する当業者であれば、主題の開示のデバイス及び方法をどのように作成し、使用するかを過度な実験を行うことなく容易に理解するように、本明細書では、その好ましい実施形態について、特定の図を参照して以下に詳細に説明する。
【図面の簡単な説明】
【００１６】
【図１】本開示の実施形態による状態監視システムの典型的な実施形態のブロック図である。
【図２】本開示の実施形態による併合する前のサンプリング信号例の一部のプロットのグラフである。
【図３】図２に示すプロットのグラフであり、本開示の実施形態によるサンプリング信号間の第１のシフト例を示す図である。
【図４】図２に示すプロットのグラフであり、本開示の実施形態によるサンプリング信号間の第２のシフト例を示す図である。
【図５】本開示の実施形態による図２に示すサンプリング信号に基づく併合信号例の一部のプロットのグラフである。
【図６】図５に示す併合信号例の異なる部分のプロットのグラフである。
【図７】本開示の実施形態により異なるレートでサンプリングされた離散時間信号を併合する方法例のフローチャートである。
【図８】本開示の実施形態により異なるレートでサンプリングされた離散時間信号を併合するためのシフトを決定する方法例のフローチャートである。
【図９】本開示の実施形態により状態監視システムの信号併合器コンポーネントを実施するように構成された典型的なコンピュータシステムのブロック図である。
【発明を実施するための形態】
【００１７】
次に図面を参照して、同様の参照符号は、主題の開示の同様の構造的特徴または態様を特定する。説明及び例示の目的上、しかし限定のためではなく、本開示による状態監視（ＣＭ）システムの典型的な実施形態のブロック図を図１に示し、全般的に参照文字１００で指定する。本開示またはその態様によるＣＭシステム１００の動作に対応付けられる方法を、後述するように図２〜９に示す。本明細書で説明するシステム及び方法は、記録システムに記録する前にリアルタイムで行うこともできるし、または記録システムが記録したデータに対してオフラインで行うこともできる。
【００１８】
ＣＭシステム１００には、信号併合器コンポーネント１０８と、分析コンポーネント１１０とが含まれる。分析コンポーネント１１０は、データ収集（ＤＣ）システム１０１からの出力を処理して、同じ源信号の異なるバージョンである多重信号を併合する。
【００１９】
データ収集（ＤＣ）システム１０１には、監視しているターゲットシステムコンポーネント１０３に関連付けながら実施される１つ以上のセンサ１０５と、２つ以上のＤＣサブシステム（たとえば、第１のＤＣサブシステム１０２及び第２のＤＣサブシステム１０４）と、記録システム１０６とが含まれる。センサ１０５は、物理特性の測定値を表す信号を出力する。ＤＣ第１及び第２のサブシステム１０２及び１０４は、信号中の情報を処理及び計算し、記録システム１０６はＤＣサブシステムの出力を記憶する。データ収集システム１０１には、さらなるセンサ、ＤＣサブシステム、及び記録システムを含めることができる。
【００２０】
ターゲットシステムのコンポーネント１０３は、可動または静止システム（たとえば、航空機、自動車、エネルギープラントなど）のたとえば、電気システムのコンポーネント、温度制御システム、油圧システム、エンジンシステムなどとすることができる。センサ１０５は、物理特性（たとえば、線速度、回転速度、温度、振動、圧力など）を検知することができる。センサは、次元に対する大きさを有する動的信号を出力する。次元はたとえば、直交座標系のｘ、ｙ、ｚまたは軸に沿った、たとえば、時間、距離とすることができる。
【００２１】
特定のデータ収集システム（たとえば、レガシーデータ収集システム）は、たとえば予後及び健全性管理（ＰＨＭ）アルゴリズムを適用することに対して、状態監視システムをサポートするようにはデザインされていない。このようなデータ収集システムから出力された信号は、たとえば、サンプリング、伝達、及び／または記憶制限により、アンダーサンプリングされる可能性があり、したがって状態監視を行うには不適切であり得る。
【００２２】
図示した例では、第１及び第２のＣＭサブシステム１０２、１０４はそれぞれ、コンポーネント検知信号上で実行する独自のタスクを有し、さらに独自のサンプリング要求を有していてもよい。第１及び第２のＣＭサブシステム１０２、１０４がそれぞれ行うサンプリングは状態監視を行うには不適切であり得るが、第１及び第２のＣＭサブシステム１０２、１０４がそれぞれ行うサンプリングに基づいて信号併合器コンポーネント１０８から出力される併合信号では、見かけ上のサンプルレートを増加させることができる。
【００２３】
次にデータ収集システム１０１がもたらす問題について、より詳しく説明する。第１及び第２のＤＣサブシステム１０２はそれぞれ、受け取った信号をサンプリングすることができ、処理することができ、及び／または公表することができる。図示した例では、第１のＤＣサブシステム１０２は、センサ１０５のうちの１つから出力されたコンポーネント検知信号を受け取る。第１のＤＣサブシステム１０２は、コンポーネント検知信号を第１のレートＳＲ１でサンプリングして第１のサンプル点を取得し、第１のレートＳＲ１でサンプリングした第１のサンプル点を第２のＤＣサブシステム１０２に送信し、第１のサンプル点を第２のレートＳＲ２でサンプリングすることによって取得した第２のサンプル点を公表する（または他の方法で伝達する）。記録システム１０６は、公表された第２のサンプル点を受け取る。
【００２４】
第２のＤＣサブシステム１０４は、第１のＤＣサブシステム１０２から第１のサンプル点を受け取って、第１のサンプル点から第３のレートＳＲ３で再サンプリングした第３のサンプル点を公表する（または他の方法で、記録システム１０６に通信する）。第３のサンプル点を、たとえば伝達または処理遅延により、第１及び／または第２のサンプル点に対してシフトさせる（すなわち、遅延させる）ことができる。これらの遅延は次元（たとえば、時間）に対して変えることができる。記録システム１０６は第１のサンプル点と第３のサンプル点とを受け取る。これらは両方とも同じ信号（すなわち、コンポーネント検知信号）のバージョンである。
【００２５】
実施形態では、サンプリングレートＳＲ１、ＳＲ２、ＳＲ３のうち少なくとも２つは異なるレートである。実施形態では、ＳＲ２≦ＳＲ１及びＳＲ３≦ＳＲ１である。さらに、実施形態では、ＳＲ２及びＳＲ３は互いに等しくはない。実施形態では、ＳＲ１、ＳＲ２、及びＳＲ３はすべて異なるレートである。実施形態では、ＳＲ２＝ＳＲ３であるが、第２のＤＣサブシステム１０４から出力された信号は、第１のＤＣサブシステム１０２から出力された信号に対して遅れる。
【００２６】
ＣＭシステム１００は、１つ以上のターゲットシステムコンポーネント１０３における動的パラメータを監視するデータ収集システム１０１が収集したデータを受け取る。ＣＭシステムはデータ収集システム１０１の出力を分析して障害の進行を検出する。
【００２７】
この併合信号を、たとえば健全性分析コンポーネント１１０が処理して、状態監視を実行することができる。健全性分析コンポーネント１１０は併合信号を用いて状態監視を実行して、特定のコンポーネント１０３に対応付けられる障害の表示がいつあるかを決定することができる。特定のコンポーネントに対して介入（たとえば、コンポーネント１０３を取り外し及び／またはサービスを提供する）を行うことができる。
【００２８】
例では、監視対象のターゲットシステムコンポーネント１０３は、キャビン空気調節及び温度制御システム（ＣＡＣＴＣＳ）のキャビン空気コンプレッサである。センサ１０５は、モータ速度を検知する速度センサである。コンポーネント検知信号はモータ速度信号である。第１のＤＣサブシステム１０２は、モータ速度信号を第１のレートＳＲ１（たとえば、１００Ｈｚ）でサンプリングして、第２のＤＣサブシステム１０４に伝送する共通モータスタート制御器（ＣＭＳＣ）である。ＣＭＳＣはさらに、モータ速度信号を第２のレートＳＲ２（たとえば、１Ｈｚ）でサンプリングして公表する。第２のＤＣサブシステム１０４は、サンプリングされたモータ速度信号を第３のレートＳＲ３（たとえば、１Ｈｚ）で再サンプリングして、再サンプリングしたモータ速度信号にさらなる遅延を生じさせて公表するパック制御ユニット（ＰＣＵ）である。記録システム１０６は、第２のレートＳＲ２でサンプリングし、また第３のレートＳＲ３でサンプリングした公表されたモータ速度信号を記録する航空機パラメータのデータレコーダである。これらの記録された信号は両方とも、速度センサから出力されるモータ速度信号から供給される。
【００２９】
図２に示すのは、併合する前の第１のＤＣサブシステム１０２から出力される一次のサンプリング信号ｐ２０２と二次のサンプリング信号ｑ２０４とのグラフ２００である。一次のサンプリング信号ｐ２０２は第１のＤＣサブシステム１０２からの出力を表し、二次のサンプリング信号ｑ２０４は第２のＤＣサブシステム１０４による出力を表す。それぞれ測定値対次元のプロットである。図示した例では、値はＣＡＣ速度（ｒｐｍ）であり、次元は、時間の次元と相互に関連するサンプルのインデックスで示す。
【００３０】
一次及び二次のサンプリング信号２０２、２０４は互いに同様であり、二次のサンプリング信号２０４は一次のサンプリング信号２０２に対して遅れている。一次及び二次のサンプリング信号２０２、２０４は、グラフの始まり及び終わりにおいて（インデックス＝８〜１３及び２０〜２４）、実質的に互いに等しい。傾斜相の間は（インデックス＝１３〜１８）、一次及び二次のサンプリング信号２０２、２０４は比較的直線状で平行であり、一次のサンプリング信号２０２に対して二次のサンプリング信号２０４が遅れているのが明らかである。本開示の目的は、二次のサンプリング信号２０４のサンプル点を左にシフトさせて、二次のサンプリング信号２０４が一次のサンプリング信号２０２と位置が合うようにし、そして、サンプリングされた一次及び二次の両信号２０２、２０４のサンプル点を結合して併合信号（図５及び６）にすることである。
【００３１】
図３に示すのは、グラフ２００の傾斜相の一部の拡大版であるグラフ３００である。インデックス１５〜１７をｔ＿１５〜ｔ＿１７と標示しており、各インデックスは時間の増加、たとえば１秒を表している。第１のシフト３１６を、一次及び二次のサンプリング信号ｐ２０２、ｑ２０４間で、インデックスに対して決定する。インデックスは時間の次元と相互に関連する。第１のシフト３１６は、一次のサンプリング信号ｐ２０２の選択された第１のサンプリング点３０４（Ｔ＿１５でサンプリングしたｐ＿ｉ）において決定する。ｉ＝インデックス（時間増加）であり、サンプリング点ｐ＿ｉはインデックスｉにおける信号値に対応し、ｔ＿ｉはインデックスｉにおける時間である。次に第２のシフト３２４を、一次のサンプリング信号ｐ２０２の選択された第２のサンプリング点３０６（ｐ＿ｉ＋１）において決定する。
【００３２】
図４において、第２のサンプリング点３０６は、この例では、第１のサンプリング点３０４に対する次の後続点であると示されているが、本開示は特定の第２のサンプリング点に限定されない。第２のサンプリング点３０６は、以前のサンプリング点ｐ＿ｉ−１に選択することもできるし、または第１のサンプリング点３０４からさらに離して配置することもできる（たとえば、ｐ＿ｉ＋ｎまたはｐ＿ｉ−ｎ）。必要なのは、第１及び第２のサンプリング点３０４、３０６をそれぞれ、互いから離間に配置して、一次のサンプリング信号ｐ２０２の傾斜相上に配置することである。さらに、二次のサンプリング信号ｑ２０４も、その傾斜相内の第１及び第２の点３０４、３０６の値の上下のサンプリング点に位置する必要がある。
【００３３】
第１及び第２のサンプリング点３０４、３０６は、両方とも一次のサンプリング信号ｐ２０２の傾斜相上にあるように、また第１及び第２のシフトを決定するために利用できる二次のサンプリング信号２０４ｑ上の点をその傾斜部分上で選択できるように選択する。第１及び第２のサンプリング点３０４、３０６を選択するための方法例について説明しているが、本開示はこの特定の方法に限定されない。図示した例では、第１のサンプリング点は、閾値３０２の値よりも大きい値を有するように選択している。閾値３０２は、一次及び二次の両信号２０２、２０４とそれらの両傾斜相において交差するように選択される。この方法では、一次及び二次の信号２０２、２０４にそれらがほぼ直線的に変化する時間または相がある必要がある。図示した例では、第１の点ｐ＿ｉ  ３０４は、測定値ＭＶ１を有するｐ＿１５であり、第２の点ｐ＿ｉ＋１  ３０６は測定値ＭＶ２を有するｐ＿１６である。
【００３４】
次に、別個の対応する測定値ＭＶ３及びＭＶ４を有し、ＭＶ３≦ＭＶ１＜ＭＶ４である二次のサンプリング信号ｑ２０４の第３及び第４の連続するサンプリング点３０８、３１０を選択する。図示した例では、第３のサンプル点はｑ＿１５であり、第４のサンプル点はｑ＿１６である。第３及び第４のサンプリング点３０８、３１０を通る第１のライン３１２を決定し、第１のライン３１２の勾配及び切片を決定する。測定値ＭＶ１を有する第１の点３１４を第１のライン３１２上で決定する。第１のシフト３１６を、第１のサンプリング点３０４に対応する第１のインデックス値ＩＶ１と、第１の点３１４に対応する第２のインデックス値ＩＶ２との間の距離であると決定する。図示した例では、ＩＶ１＝ｔ＿１５である。この第１のシフト３１６は、第３及び第４のサンプリング点３０８、３１０の領域における一次及び二次のサンプリング信号ｐ２０２、ｑ２０４間のインデックス差（時間差を表す）であり、二次のサンプリング信号ｑ２０４に第１のシフト３１６を適用すると、第１のサンプリング点３０４において第１のサンプリング信号ｐ２０２と位置が合う。
【００３５】
図４に示すように、第２のシフト３２４を決定する。第４のサンプリング点３１０と連続する第５のサンプル点３１８を、二次のサンプリング信号ｑ２０４上で選択する。図示した例では、第５のサンプル点３１８はｑ＿１７であり、測定値ＭＶ５を有し、ＭＶ４≦ＭＶ２＜ＭＶ５である。第４及び第５のサンプリング点３１０、３１８を通る第２のライン３２０を決定し、第２のライン３２０の勾配及び切片を決定する。測定値ＭＶ２及びインデックス値ＩＶ４を有する第２の点３２２を、第２のライン３２０上で決定する。第２のシフト３２４を、第１のサンプリング点３０６に対応する第１のインデックス値ＩＶ３と、第２の点３２２に対応する第２のインデックス値ＩＶ４との間の距離であると決定する。図示した例では、ＩＶ３＝ｔ＿１６である。この第２のシフト３２４は、第４及び第５のサンプリング点３１０、３１８の領域における一次及び二次のサンプリング信号ｐ２０２、ｑ２０４間のインデックス差（時間差を表す）であり、二次のサンプリング信号ｑ２０４に第２のシフト３２４を適用すると、第２のサンプリング点３０６において第１のサンプリング信号ｐ２０２と位置が合う。
【００３６】
第１のシフト３１６と第２のシフト３２４に関数を適用して、計算されたシフトを取得する。たとえば、第１のシフトと第２のシフト３２４の平均化である。第１のシフト３１６と第２のシフト３２４を結合する他の方法例は、最小の関数、最大の関数、または二乗総和平方根関数などの関数を適用することである。計算されたシフトを適用することによって各サンプル点のインデックス値（時間に対応する）をシフトさせることによって、二次のサンプリング信号ｑ２０４を調整する。図示した例では、二次のサンプリング信号ｑ２０４の各サンプル点のインデックス値から計算されたシフトを差し引くことによって、計算されたシフトを適用する。
【００３７】
図５を参照して、曲線５００は、一次のサンプリング信号ｐ２０２の第１及び第２のサンプリング点３０２及び３０４と、サンプリング信号ｑ２０４のシフトされた第３、第４、及び第５のサンプル点３０８、３１０、３１８とを含む併合信号５０２の一部を示す。すべて、互いに連結されて、その時間値によってソートされている。
【００３８】
図６を参照して、曲線６００は、より多いサンプリング点とシフトされたサンプリング点（傾斜部分全体と非傾斜部分を含む）を伴う併合信号５０２を示す。併合信号５０２は、一次及び二次のサンプリング信号ｐ２０２、ｑ２０４のどちらよりも効果的なサンプリングレートによって、分解能がより良好な曲線を有する忠実度がより高い信号である。サンプリング点及びシフトされたサンプリング点は時間的に均一には配置されていないが、これは、併合曲線を固定レートで再サンプリングすることによって対処することができる。
【００３９】
併合信号５０２を、健全性分析コンポーネント１１０によって分析して、監視対象のコンポーネントにおける障害の進行を検出する。健全性分析コンポーネント１１０は、併合信号５０２を分析してコンポーネント検知信号の特徴を推定することが、たとえば併合信号５０２の曲線下の領域を決定することによって可能である。併合信号から導き出すことができる特徴の他の例は、曲線の選択部分より下の領域、及び直線部分の勾配である。忠実度がより高い併合信号５０２によって、健全性分析コンポーネント１１０は、このような特徴を推定して障害進行を認識するためのより高い精度を達成することができる。障害の進行を検出したら、健全性分析コンポーネント１１０は障害の表示を発し、それにより、監視対象のコンポーネントまたはターゲットシステムを無効にするかまたはコンポーネントへのサービスの提供を推奨する。サービスとしては、コンポーネントを無効にすること、及び／またはコンポーネントが含まれるターゲットシステムからコンポーネントを取り外すこと、またはターゲットシステムを無効にすることを挙げることができる。サービスの提供を推奨することとしては、コンポーネントをテストし、無効にし、取り外し、及び／または交換する行為を行うことを挙げることができる。行為を、コンポーネントもしくはターゲットシステムまたはターゲットシステムの外部のシステムに適用することができる。
【００４０】
図２〜６に例示した例では、一次及び二次の信号２０２、２０４は同時にサンプリングしているが、本開示はこのような同時サンプリングに限定されない。サンプリングが同時であるか否かとは関係なく、説明したアルゴリズムは正確に機能する。
【００４１】
次に図７及び８を参照して、種々の典型的な実施形態の実施態様を実証するフロー図を示す。図７及び８に示す動作の順序は必須ではなく、したがって原理的には、種々の動作を例示とは違う順番でまたは並列に行ってもよいことに注意されたい。また特定の動作を省略してもよいし、異なる動作を加えるかもしくは置換してもよいし、または選択した動作もしくは動作群を本明細書で説明する実施形態に続く別個の適用において行ってもよい。
【００４２】
図７に示すのは、実施形態による方法例を例示するフローチャート７００である。本方法は、ＣＭシステム（たとえば、図１に示すＣＭシステム１００）で行うことができる。動作７０２において、第１のサンプリング信号を受け取る。第１のサンプリング信号は、第１のサンプリングレートでサンプリングされた第１の複数のサンプリング点を有する。第１のサンプリング点はそれぞれ、付随する測定値及び次元値を有する。動作７０４において、第２のサンプリング信号を受け取る。第２のサンプリング信号は、第２のサンプリングレートでサンプリングされた第２の複数のサンプリング点を有し、第２のサンプリング点はそれぞれ、付随する測定値及び次元値を有する。第１及び第２のサンプリング信号は、コンポーネントを検知するの同じプロセスから生じる。動作７０６において、第１のシフトを、第１のサンプリング信号の第１のサンプリング点において第１のサンプリング信号と第２のサンプリング信号との間の次元（たとえば、時間）に対して決定する。動作７０８において、第２のシフトを、第１のサンプリング信号の異なる第２のサンプリング点において第１のサンプリング信号と第２のサンプリング信号との間の次元に対して決定する。
【００４３】
動作７１０において、第１のシフトと第２のシフトの関数である計算されたシフトを決定する。動作７１２において、計算されたシフトに基づいてシフトされた第１の複数の各サンプリング点と第２の複数の各サンプリング点とを含む併合信号を生成する。動作７１４において、併合信号の分析に基づいて少なくとも障害の閾値表示があるか否かを判定する。この判定は、併合信号を分析することによって行う。分析には、併合信号の特徴に基づいてコンポーネント検知信号の特徴を推定することを含めることができる。併合信号の特徴を閾値と比較することができる。判定がＮＯである場合、すなわち、障害の閾値表示はないと動作７１４で判定された場合には、本方法は動作７０２に戻って、さらなる監視（たとえば、他のコンポーネントの監視）に付随するサンプリング信号を処理することができる。判定がＹＥＳである場合、すなわち、少なくとも障害の閾値表示があると動作７１４で判定されたら、コンポーネントを無効にするかまたは取り外しを推奨する。本方法は動作７０２に続くことができる。
【００４４】
図８に示すのは、実施形態による信号処理システムによって行われる方法例を例示するフローチャート８００である。動作８０２において、第２の複数のサンプリング点の第３及び第４の連続するサンプリング点を選択する。第３及び第４のサンプリング点は別個の対応する測定値ＭＶ３及びＭＶ４を有し、ＭＶ３≦ＭＶ１＜ＭＶ４である。動作８０４において、第３及び第４のサンプリング点を通る第１のラインを決定する。第１のラインは第１の勾配と第１の切片を有する。動作８０６において、第１のライン上の第１の点を決定する。第１の点は測定値ＭＶ１を有する。動作８０８において、第１のシフトは、第１のサンプリング点に対応する第１の次元値ＤＶ１と、第１の点に対応する第２の次元値ＤＶ２との間の第１の距離であると決定する。
本開示の態様を、本開示の実施形態による方法、装置（システム）、及びコンピュータプログラム製品のフロー図説明及び／またはブロック図を参照して前述した。当然のことながら、フロー図説明及び／またはブロック図の各ブロック、ならびにフロー図説明及び／またはブロック図におけるブロックの組み合わせを、コンピュータプログラム命令によって実施することができる。これらのコンピュータプログラム命令を、汎用コンピュータ、専用コンピュータ、または他のプログラマブルデータ処理装置のプロセッサに与えてマシンを生成して、命令が、コンピュータまたは他のプログラマブルデータ処理装置のプロセッサを介して実行されると、フロー図及び／またはブロック図ブロックまたはブロック（複数）において特定された機能／作用を実施するための手段を形成するようにしてもよい。
【００４５】
またこれらのコンピュータプログラム命令をコンピュータ可読媒体に記憶して、コンピュータ、他のプログラマブルデータ処理装置、または他のデバイスを特定の仕方で機能させ、コンピュータ可読媒体に記憶された命令が、フロー図及び／またはブロック図ブロックまたはブロック（複数）において特定された機能／作用を実施する命令を含む製造品を生成できるようにしてもよい。
【００４６】
またコンピュータプログラム命令をコンピュータ、他のプログラマブルデータ処理装置、または他のデバイス上にロードして、一連の演算動作をコンピュータ、他のプログラマブル装置、または他のデバイス上で行ってコンピュータ実装プロセスを生成して、命令が、コンピュータまたは他のプログラマブル装置上で実行されると、フロー図及び／またはブロック図ブロックまたはブロック（複数）において特定された機能／作用を実施するためのプロセスを実現するようにしてもよい。
【００４７】
信号併合器コンポーネント１０８の実施形態を、１つ以上のコンピュータシステム（たとえば、図９に例示したコンピュータシステム例９０２）によって実施または実行してもよい。各コンピュータシステム９０２は、信号併合器コンポーネント１０８、またはその複数の実例を実施することができる。種々の実施形態では、コンピュータシステム９０２は、サーバ、メインフレームコンピュータシステム、ワークステーション、ネットワークコンピュータ、デスクトップコンピュータ、ラップトップなどを含んでいてもよく、及び／またはフィールドプログラマブルゲートアレイ（ＦＰＧＡ）、特定用途向け集積回路（ＡＳＩＣ）、マイクロコントローラ、マイクロプロセッサなどのうちの１つ以上を含んでいてもよい。
【００４８】
コンピュータシステム９０２は、好適なシステムの単なる一例であり、本明細書で説明する本開示の実施形態の使用または機能の範囲に関する何らかの限定を示唆することは意図していない。それとは関係なく、コンピュータシステム９０２は前述した機能のいずれかを実施及び／または実行することができる。
【００４９】
コンピュータシステム９０２は、コンピュータシステムによって実行されているコンピュータシステム実行可能命令（たとえば、プログラムモジュール）の全般的な背景で説明してもよい。全般的に、プログラムモジュールには、ルーチン、プログラム、オブジェクト、コンポーネント、ロジック、データ構造などの、特定のタスクを実行するかまたは特定の抽象データ型を実施するものが含まれていてもよい。コンピュータシステム９０２は、通信ネットワークを通してリンクされたリモート処理装置によってタスクが行われる分散データ処理環境で実施してもよい。分散データ処理環境では、プログラムモジュールを、メモリ記憶デバイスを含むローカル及びリモートコンピュータシステム記憶媒体の両方に配置してもよい。
【００５０】
コンピュータシステム９０２を、汎用コンピューティング装置の形態で図９に示す。コンピュータシステム９０２のコンポーネントには以下が含まれていてもよい（しかし、これらに限定されない）。１つ以上のプロセッサまたはプロセシングユニット９１６、システムメモリ９２８、及びシステムメモリ９２８を含む種々のシステムコンポーネントをプロセッサ９１６に結合するバス９１８。バス９１８は、いくつかのタイプのバス構造（メモリバスまたはメモリコントローラを含む）、周辺バス、アクセラレイティッドグラフィックスポート、及びプロセッサまたはローカルバス（種々のバスアーキテクチャのいずれかを用いる）のいずれかのうちの１つ以上を表している。一例として、また限定することなく、このようなアーキテクチャとしては、業界標準アーキテクチャ（ＩＳＡ）バス、マイクロチャネルアーキテクチャ（ＭＣＡ）バス、拡張ＩＳＡ（ＥＩＳＡ）バス、ビデオエレクトロニクス標準協会（ＶＥＳＡ）ローカルバス、及びペリフェラルコンポーネントインターコネクト（ＰＣＩ）バスが挙げられる。
【００５１】
コンピュータシステム９０２には典型的に、種々のコンピュータシステム読取可能な媒体が含まれる。このような媒体は、信号併合器コンポーネント１０８によってアクセス可能な任意の入手可能な媒体であってもよく、揮発性及び不揮発性媒体、取り外し可能及び取り外し不可能な媒体の両方が含まれる。
【００５２】
システムメモリ９２８には、揮発性メモリの形態のコンピュータシステム読取可能な媒体を含むことができる（たとえば、ランダムアクセスメモリ（ＲＡＭ）９３０及び／またはキャッシュメモリ９３２）。コンピュータシステム９０２にはさらに、他の取り外し可能／取り外し不可能、揮発性／不揮発性コンピュータシステム記憶媒体が含まれていてもよい。単に一例として、記憶システム９３４を、取り外し不可能な不揮発性磁気媒体（図示せず、典型的に「ハードドライブ」と言う）に対して読み出し及び書き込むために設けることができる。図示しないが、取り外し可能な不揮発性磁気ディスクに対して読み出し及び書き込むための磁気ディスクドライブ、ならびに取り外し可能な不揮発性光ディスク（たとえば、ＣＤ−ＲＯＭ、ＤＶＤ−ＲＯＭ、または他の光媒体）に対して読み出しまたは書き込むための光ディスクドライブを設けることができる。このような場合には、それぞれを１つ以上のデータ媒体インターフェースを介してバス９１８に接続することができる。以下でさらに図示及び説明するように、メモリ９２８には、本開示の実施形態の機能を行うように構成されたプログラムモジュールの組（たとえば、少なくとも１つ）を有する少なくとも１つのプログラム製品が含まれていてもよい。
【００５３】
プログラム／ユーティリティ９４０は、たとえば、図７及び８に示すフローチャート７００及び８００の動作を行うためのプログラムモジュール９１５の組（少なくとも１つ）を有しており、各プログラムモジュール９１５は、一例として、また限定することなく、メモリ９２８に、ならびにオペレーティングシステム、１つ以上のアプリケーションプログラム、他のプログラムモジュール、及びプログラムデータに記憶してもよい。オペレーティングシステム、１つ以上のアプリケーションプログラム、他のプログラムモジュール、及びプログラムデータのそれぞれ、またはそれらの何らかの組み合わせに、ネットワーキング環境の実施態様が含まれていてもよい。プログラムモジュール９１５は全般的に、本明細書で説明するように、本開示の実施形態の機能及び／または方法を行う。
【００５４】
またコンピュータシステム９０２は、１つ以上の外部装置９１４（たとえば、キーボード、ポインティング装置、ディスプレイ９２４など）、ユーザがコンピュータシステム９０２と相互に作用することを可能にする１つ以上のデバイス、及び／または信号併合器コンポーネント１０８が１つ以上の他のコンピューティング装置と通信することを可能にする任意のデバイス（たとえば、ネットワークカード、モデムなど）と通信してもよい。このような通信は、入出力（Ｉ／Ｏ）インターフェース９２２を介して行うことができる。それでも、コンピュータシステム９０２は、１つ以上のネットワーク、たとえばローカルエリアネットワーク（ＬＡＮ）、一般的なワイドエリアネットワーク（ＷＡＮ）、及び／またはパブリックネットワーク（たとえば、インターネット）と、ネットワークアダプタ９２０を介して通信することができる。図示したように、ネットワークアダプタ９２０は、信号併合器コンポーネント１０８の他のコンポーネントとバス９１８を介して通信する。当然のことながら、図示しないが、他のハードウェア及び／またはソフトウェアコンポーネントをコンピュータシステム９０２とともに用いることができる。例としては以下が挙げられる（しかし、これらに限定されない）。マイクロコード、デバイスドライバ、余分なプロセシングユニット、外部ディスクドライブアレイ、ＲＡＩＤシステム、テープドライブ、及びデータアーカイバル記憶システムなど。
【００５５】
図のフロー図及びブロック図は、本開示の種々の実施形態によるシステム、方法、及びコンピュータプログラム製品の可能な実施態様のアーキテクチャ、機能、及び動作を例示している。これに関連して、フロー図またはブロック図における各ブロックは、モジュール、セグメント、またはコードの一部（指定の論理関数（複数可）を実施するための１つ以上の実行可能命令を含む）を表してもよい。また、いくつかの代替的な実施態様では、ブロック内で言及した機能を、図で言及した順番から外れて行ってもよいことにも注意されたい。たとえば、含まれる機能に応じて、連続して示した２つのブロックを実際には実質的に同時に実行してもよいし、またはブロックをしばしば逆の順序で実行してもよい。また、ブロック図及び／またはフロー図説明図の各ブロック、ならびにブロック図及び／またはフロー図説明図におけるブロックの組み合わせを、特定の機能もしくは作用を実行する専用のハードウェアベースのシステム、または専用のハードウェア及びコンピュータ命令の組み合わせによって実施できることに注意されたい。
【００５６】
本開示の種々の実施形態の記載を説明を目的として示してきたが、網羅的であることも、開示した実施形態に限定されることも意図していない。説明した実施形態の範囲及び趣旨から逸脱することなく、多くの変更及び変形が当業者には明らかである。本明細書で用いる専門用語の選択は、実施形態の原理、実際の応用、もしくは市場で見られる技術に対する技術的改善を最良に説明するように、または本明細書で開示した実施形態を他の当業者が理解できるように行った。
【００５７】
開示した方法によって得られる可能性のある利点は、拡張された信号、及び／または１つ以上の融合された信号を生成するセンサを有する異なるデータ収集システムからの信号を、前記各信号及び／または異なるデータ収集システムから出力される各信号の強度を利用する技術を用いて処理する一方で、このような信号における弱さを最小限にすることができることである。本方法は１つ、２つ、またはそれ以上のデータ収集システムに対して用いることができる。融合された信号は、時間に対して動的である。なぜならば、信号は時間ごとに評価及び融合されるからである。本方法は、ある時間に渡って融合された同期信号のストリーミングに適用することができる。
【００５８】
本明細書で説明した技術は典型的であり、特定の例示した実施形態の何らかの特定の限定を意味すると解釈してはならない。当然のことながら、当業者であれば種々の代替案、組み合わせ、及び変更を考案することができる。たとえば、本明細書で説明したプロセスに対応付けられる動作を、特に指示がない限りまたは動作自体による要求がない限り、任意の順番で行うことができる。本開示は、添付の請求項の範囲に含まれるすべての代替案、変更、及び変形を受け入れることが意図されている。
【００５９】
用語「含む」または「含んでいる」は、記載した特徴、整数、動作、またはコンポーネントの存在を特定するが、１つ以上の他の特徴、整数、動作、もしくはコンポーネント、またはそれらの群の存在を排除するものではないと解釈すべきである。
【００６０】
主題の開示のシステム及び方法を、前述で開示した実施形態について説明してきたが、当業者であれば容易に分かるように、添付の請求項によって規定されるような特定の例示した実施形態の趣旨及び範囲から逸脱することなく、変形及び変更を施してもよい。
【図１】
2020095725.tif 000003
【図２】
2020095725.tif 000004
【図３】
2020095725.tif 000005
【図４】
2020095725.tif 000006
【図５】
2020095725.tif 000007
【図６】
2020095725.tif 000008
【図７】
2020095725.tif 000009
【図８】
2020095725.tif 000010
【図９】
2020095725.tif 000011